(57)【要約】    【課題】  模擬性の高い立体的な標的を有し、臨場感があり、而もレーザ光線を使用した射撃訓練に対応が可能とする。    【解決手段】  射撃訓練に使用される標的装置に於いて、該標的装置が標的板１２を有し、該標的板の略前面、全域に亘りレーザ光線受光部１３が設けられ、前記標的板の前面に湾曲成形された骨線１６が所要間隔で設けられ、該骨線がレーザ光線を透過可能な被覆部材により被覆された。    【選択図】          図２
2006317091.tif 000002
【特許請求の範囲】
【請求項１】
射撃訓練に使用される標的装置に於いて、該標的装置が標的板を有し、該標的板の略前面、全域に亘りレーザ光線受光部が設けられ、前記標的板の前面に湾曲成形された骨線が所要間隔で設けられ、該骨線がレーザ光線を透過可能な被覆部材により被覆されたことを特徴とする標的装置。
【発明の詳細な説明】
【技術分野】
【０００１】
本発明は、射撃訓練に使用される標的装置、特にレーザ光線を用いて行う射撃訓練に使用される標的装置に関するものである。
【背景技術】
【０００２】
射撃訓練に使用される標的装置としては、例えば特許文献１に示されるものがある。
【０００３】
該特許文献１には、標的を移動させ、或は隠顕動作を行わせ、射撃者の敏捷性を養成する標的装置が開示されている。
【０００４】
特許文献１に示される標的自体は、主に人を形取った平板であり、模擬性が低く臨場感に乏しいものとなっている。又、立体標的としてマネキン等も示されているが、レーザ光線の使用が考慮されているとは言えない。
【０００５】
又、レーザ光線が使用される標的装置として、従来、図４に示されるものがある。
【０００６】
図中、１は標的を示し、２は該標的１を支持し、移動させる為の支持装置を示している。
【０００７】
前記標的１は略人型に形取られた標的パネル３と、該標的パネル３の略全面に貼設された所要数のレーザ光線受光部４によって構成されている。又、該レーザ光線受光部４はレーザ光線を受光すると電気信号を発する様になっていると共にレーザ光線を受光した場合のＳ／Ｎ比を向上させる為、前記レーザ光線受光部４の表面にはレーザ光線の波長を透過し、太陽光を透過しない様なバンドパスフィルタ機能を有するコーティング等の処理がなされ、或はフィルタ板が設けられている。
【０００８】
上記標的パネル３に模擬射撃で発射されたレーザ光線が照射されると、受光した前記レーザ光線受光部４から電気信号が発せられ、該電気信号を基に命中したことが確認されると共に前記支持装置２により前記標的１が、例えば垂直軸を中心に回転する等の作動がなされる。
【０００９】
上記した従来の標的装置では、標的が平面的であるので、標的が人形であると認識できるのは、正面方向に限定される。又、前記レーザ光線受光部４には太陽光を受光しない様な表面処理がなされており、表面が黒色であるので、人形と認識するには程遠いものがある。更に、該レーザ光線受光部４はレーザ光線を受光するという制約を伴うので、前記標的１の表面に外観を向上させる為の塗装等はできなかった。
【００１０】
【特許文献１】特開２００３−１３０５９５号公報
【発明の開示】
【発明が解決しようとする課題】
【００１１】
本発明は斯かる実情に鑑み、模擬性の高い立体的な標的を有し、臨場感があり、而もレーザ光線を使用した射撃訓練に対応が可能としたものである。
【課題を解決するための手段】
【００１２】
本発明は、射撃訓練に使用される標的装置に於いて、該標的装置が標的板を有し、該標的板の略前面、全域に亘りレーザ光線受光部が設けられ、前記標的板の前面に湾曲成形された骨線が所要間隔で設けられ、該骨線がレーザ光線を透過可能な被覆部材により被覆された標的装置に関するものである。
【発明の効果】
【００１３】
本発明によれば、射撃訓練に使用される標的装置に於いて、該標的装置が標的板を有し、該標的板の略前面、全域に亘りレーザ光線受光部が設けられ、前記標的板の前面に湾曲成形された骨線が所要間隔で設けられ、該骨線がレーザ光線を透過可能な被覆部材により被覆されたので、前記標的が立体的に認識され、臨場感を増大させ、又標的装置に対する方向性の限定が解消され、更に構造が簡潔で、軽量であるので従来の標的装置に実施することも可能である等の優れた効果を発揮する。
【発明を実施するための最良の形態】
【００１４】
以下、図面を参照しつつ本発明を実施する為の最良の形態を説明する。
【００１５】
図１は本発明に係る標的装置６の外観を示しており、標的７は支持装置８により移動可能に支持されている。尚、該支持装置８は従来の支持装置２と同等な構成を具備している。
【００１６】
図２、図３により標的７について説明する。図２では、後述する被覆部材が省略して示されている。
【００１７】
前記標的７は、標的板部９と該標的板部９の前面を覆う様に設けられた人型模擬部１１により主に構成されている。
【００１８】
前記標的板部９は、外形を人型に模した標的板１２、該標的板１２の前面、全域、略全域に亘り貼設したレーザ光線受光部１３から構成され、前記標的板１２の周囲には該標的板１２に対して垂直となっている縁金具１４が取付けられている。該縁金具１４には骨線固定具１５が螺子１９によって着脱可能であり、前記骨線固定具１５には後述する骨線１６が嵌合する溝１７が形成されている。該溝１７に前記骨線１６の端部を嵌合して前記骨線固定具１５を前記縁金具１４に前記螺子１９で固定することで、前記骨線１６の端部は前記縁金具１４と前記骨線固定具１５間の挾持力で固定される様になっている。
【００１９】
前記人型模擬部１１は、前記複数の骨線１６、及び該骨線１６を覆う様に貼設された被覆部材１８から構成され、前記骨線１６は鋼線、軟鋼線等適宜加工が容易な線材が用いられる。前記骨線１６は顔面部２１、胴体部２２を形取る様に曲げ加工される。曲げ加工は、好ましくは人型に近い曲線となる様に加工され、或は加工が容易な様に半円状に加工してもよい。少なくとも、前記標的板１２に固定される端部が該標的板１２に垂直となっていればよい。
【００２０】
前記骨線１６は垂直、水平にそれぞれ１００ｍｍ〜１５０ｍｍの間隔で格子状に設けられる。該骨線１６の間隔を１００ｍｍ〜１５０ｍｍとすることで、前記被覆部材１８の立体感が保たれる。前記骨線１６の内、水平骨線１６ａの両端は前記骨線固定具１５により前記縁金具１４に固定される。垂直骨線１６ｂは下端部がＵ状に屈曲され、上端部が前記標的板１２に対して垂直となっている。
【００２１】
前記骨線１６は前記水平骨線１６ａから取付けられ、両端部が前記骨線固定具１５により前記縁金具１４に固定され、前記垂直骨線１６ｂは下端の屈曲部が前記顔面部２１、前記胴体部２２それぞれの最下端の水平骨線１６ａに引掛けられた状態で上端が前記骨線固定具１５により前記縁金具１４に固定される。尚、前記骨線固定具１５を前記縁金具１４に仮止めして前記骨線１６の端部を前記溝１７に挿入した後、前記螺子１９を締込んでもよい。
【００２２】
前記骨線１６により人型が形取られ、該骨線１６の表面に前記被覆部材１８が貼設される。該被覆部材１８の材質はレーザ光線が透過可能なものが用いられる。例えば、薄手の半透明状の生地、例えばストッキングに用いられている様な生地、或は薄手のメッシュ状の生地等が挙げられる。又、前記被覆部材１８は前記骨線１６に合わせて貼設してもよく、或は便宜的に前記胴体部２２にはメッシュ生地のＴシャツを被せ、前記顔面部２１にはストッキングを被せる等してもよい。
【００２３】
上記標的７にレーザ光線が照射されると、レーザ光線は前記被覆部材１８を透過して、前記レーザ光線受光部１３に到達する。レーザ光線が該レーザ光線受光部１３のいずれかで受光されると、該レーザ光線受光部１３から受光信号が発せられ、該受光信号を基にレーザ光線が命中したことが確認され、或は命中した状態が表示部（図示せず）に表示され、或は前記標的７が移動され、命中したことが確認される。
【００２４】
前記被覆部材１８が被覆されることで、射撃者は前記標的７を立体的に認識し、臨場感が増大すると共に、立体であるので方向性が限定されることがなくなる。又、前記被覆部材１８は軽量であり、従来の支持装置２がそのまま使用可能であり、改良或は新たに設備する必要がない。
【００２５】
尚、前記被覆部材１８は透明なナイロンシートを半透明状に処理したもの等、透光性を有する材質であれば使用可能であり、或はネット等であってもよい。又、前記骨線１６の間隔によっては、前記水平骨線１６ａのみ、或は前記垂直骨線１６ｂのみであってもよい。
【図面の簡単な説明】
【００２６】
【図１】本発明の実施の形態を示す斜視図である。
【図２】該実施の形態に於ける標的の斜視図である。
【図３】該実施の形態に使用される骨線固定具の斜視図である。
【図４】従来の標的装置の斜視図である。
【符号の説明】
【００２７】
７              標的
９              標的板部
１１            人型模擬部
１２            標的板
１３            レーザ光線受光部
１４            縁金具
１５            骨線固定具
１６            骨線
１８            被覆部材
２１            顔面部
２２            胴体部
【図１】
2006317091.tif 000003
【図２】
2006317091.tif 000004
【図３】
2006317091.tif 000005
【図４】
2006317091.tif 000006